(57)【特許請求の範囲】
【請求項１】
常設の洋風便器装置を用いた排泄物容器の洗浄方法であって、
前記排泄物容器には、前記排泄物容器を前記洋風便器装置のボウル部に装着したときに、該ボウル部の側面に設けた吐水部の開口に対応した高さ位置に、外方に突出した管状の給水口が形成されており、
前記排泄物容器を前記洋風便器装置のボウル部に装着、設置し、前記排泄物容器の前記給水口を前記洋風便器装置の吐水部に接続し、前記洋風便器装置から洗浄水の供給を受けて前記排泄物容器の内部を洗浄することを特徴とする排泄物容器の洗浄方法。
【請求項２】
ボウル部と、該ボウル部に対して吐水する吐水部とを備えた洋風便器装置であって、
前記ボウル部は、その内部に、給水口を有した排泄物容器が設置される形状とされ、前記吐水部は、前記ボウル部内に設置された前記排泄物容器の前記給水口に装着されるように構成されており、
前記ボウル部内を洗浄する通常洗浄モードと、前記ボウル部に設置した前記排泄物容器の内部を洗浄する容器洗浄モードとを切り替え可能に実行する制御部を備えていることを特徴とする洋風便器装置。
【請求項３】
請求項２において、
前記ボウル部内の水位を、貯水水位よりも低い水位に維持させるように変動させる水位変動部をさらに備えている、洋風便器装置。
【請求項４】
請求項２または３において、
前記ボウル部に設置した前記排泄物容器の内部に洗剤入りの洗浄水を供給する洗浄水供給部をさらに備えている、洋風便器装置。
【請求項５】
請求項４において、
前記ボウル部に設置した前記排泄物容器の内部に洗剤入りの洗浄水を供給する洗浄水供給部をさらに備えており、
前記洗浄水供給部は、前記容器洗浄モードのときに、洗剤なしの洗浄水の供給を可能としている、洋風便器装置。
【請求項６】
請求項４または５において、
前記洗浄水供給部は、前記排泄物容器の内部に気泡を付加した洗浄水を供給する構成となっている、洋風便器装置。
【発明の詳細な説明】
【技術分野】
【０００１】
本発明は、排泄物容器を洋風便器装置を用いて洗浄する排泄物容器の洗浄方法、および、その排泄物容器が装着される洋風便器装置に関する。
【背景技術】
【０００２】
従来には、洗浄を簡便に行える排泄物容器やその洗浄方法が種々提案されている（たとえば、特許文献１〜３参照）。
【０００３】
特許文献１に記載された排泄物容器はホース状の排出手段を備えており、汚水等をその排出手段より洋風便器装置のボウル部に向けて排出できるようになっている。また、別体の保持装置を用いれば、その保持装置で排泄物容器を保持しながら安定的に汚水等をボウル部に排出することができる。
【０００４】
また、特許文献２に記載された排泄物容器は蓋に給水口を有しており、洋風便器装置のタンクに接続した給水ホースの出口を給水口に接続して洗浄水の供給を受けられるようになっている。また、洗浄水の供給を受けながら、可動蓋を開けてボウル部に排出することもできる。
【０００５】
さらに、特許文献３に記載された排泄物容器は上方開口の側端に厚みの薄い軟質のガイド部を有しており、そのガイド部をボウル部のリム部の下方の内面に添わせて、流れてくる洗浄水をすくい取るように容器内に流し込むことができるようになっている。
【０００６】
以上のように、これらの特許文献のものは、洋風便器装置のボウル部への汚水等の排出、または洋風便器装置から容器への洗浄水の供給を簡便にできるように工夫がなされている。
【先行技術文献】
【特許文献】
【０００７】
【特許文献１】特開２００３−５２５７５号公報
【特許文献２】特開２０００−１５２８９４号公報
【特許文献３】特開平０８−２２９０８２号公報
【発明の概要】
【発明が解決しようとする課題】
【０００８】
しかしながら、これらの排泄物容器の洗浄方法はいずれも、利用者が排泄物容器を手で持ちながら作業しなければならず、決して安定的な作業が行えるとは言えない。したがって、これらの方法では、排泄物容器の洗浄作業によりトイレ空間を汚す可能性がある。なお、特許文献１のものによれば、保持装置を用いることで比較的楽に、かつ安定的に作業ができるが、場所をとり、また設置に時間がかかるため、簡便な洗浄作業はできない。
【０００９】
本発明は、このような事情を考慮して提案されたもので、その目的は、排泄物容器の洗浄を、トイレ空間を汚すことなく簡便、迅速に行える排泄物容器の洗浄方法を提供することにある。また、その排泄物容器の洗浄に用いられる洋風便器装置を提供することも目的としている。
【課題を解決するための手段】
【００１０】
上記目的を達成するために、本発明の排泄物容器の洗浄方法は、常設の洋風便器装置を用いた排泄物容器の洗浄方法であって、排泄物容器には、排泄物容器を洋風便器装置のボウル部に装着したときに、ボウル部の側面に設けた吐水部の開口に対応した高さ位置に、外方に突出した管状の給水口が形成されており、排泄物容器を洋風便器装置のボウル部に装着、設置し、排泄物容器の給水口を洋風便器装置の吐水部に接続し、洋風便器装置から洗浄水の供給を受けて排泄物容器の内部を洗浄することを特徴とする。
【００１２】
さらに、本発明の洋風便器装置は、ボウル部と、ボウル部に対して吐水する吐水部とを備えた洋風便器装置であって、ボウル部は、その内部に、給水口を有した排泄物容器が設置される形状とされ、吐水部は、ボウル部内に設置された排泄物容器の給水口に装着されるように構成されており、ボウル部内を洗浄する通常洗浄モードと、ボウル部に設置した排泄物容器の内部を洗浄する容器洗浄モードとを切り替え可能に実行する制御部を備えていることを特徴とする。
【発明の効果】
【００１３】
本発明の排泄物容器の洗浄方法によれば、上述した手順となっているため、排泄物容器の洗浄を、トイレ空間を汚すことなく簡便、迅速に行うことができる。
【００１５】
さらに、本発明の洋風便器装置によれば、上述した構成となっているため、排泄物容器の洗浄を、トイレ空間を汚すことなく簡便、迅速に行うことができる。
【図面の簡単な説明】
【００１６】
【図１】（ａ）（ｂ）は、本発明の一実施形態に係る排泄物容器の洗浄方法における洋風便器装置への装着手順を示す斜視図である。
【図２】図１に示した排泄物容器の洗浄方法に用いられるポータブルトイレの説明図であり、（ａ）は全体斜視図、（ｂ）は一部を省略した分解斜視図である。
【図３】（ａ）は図１に示した排泄物容器の洗浄方法に用いられる洋風便器装置の斜視図、（ｂ）は排泄物容器を洋風便器装置に装着し、給水口と吐水部とを連結した状態を示す斜視図である。
【図４】（ａ）（ｂ）は、排泄物容器と給水口と洋風便器装置の吐水部との他の連結構造（手順）を示す平面図である。
【図５】排泄物容器の洗浄態様を示す模式的縦断面図である。
【図６】排泄物容器の排水機構の説明図である。（ａ）は排泄物容器の平面図、（ｂ）は（ａ）のＡ−Ａ線に対応した排水物容器の縦断面図である。
【図７】本発明の一実施形態に係る洋風便器装置の要部ブロック図である。
【図８】洋風便器装置の動作説明図である。（ａ）はトラップ部が貯水位置側にあるとき、（ｂ）はトラップ部が排水位置側にあるときの各縦断面図である。
【図９】トラップ部が貯水位置側と排水位置側との間にあるときの洋風便器装置の縦断面図である。
【図１０】本発明の他の実施形態に係る洋風便器装置の貯水水位を示す縦断面図である。
【図１１】洋風便器装置の貯水水位よりも低い水位を示す縦断面図である。
【発明を実施するための形態】
【００１７】
以下に、本発明の実施の形態について添付図面にもとづいて説明する。まず、本発明の排泄物容器の洗浄方法、ポータブルトイレおよび洋風便器装置の各基本構成について説明する。
【００１８】
本排泄物容器１１の洗浄方法は、図１に示すように、常設の洋風便器装置３０を用いた洗浄方法である。その洗浄方法は、排泄物容器１１を洋風便器装置３０のボウル部３１に装着、設置し、洋風便器装置３０から洗浄水の供給を受けて排泄物容器１１の内部を洗浄する手順となっている。
【００１９】
また、本ポータブルトイレ１０は、図２に示すように、着脱自在の排泄物容器１１を有した、トイレ空間以外の居室等で移動自在に利用され得るポータブル型のトイレである。排泄物容器１１は、図１に示すように給水口１２を有し、ポータブルトイレ１０の本体２１より取り外された状態で、底部１１ａ側が常設の洋風便器装置３０のボウル部３１内に装着、設置されるようになっている。
【００２０】
一方、洋風便器装置３０は、ボウル部３１と、ボウル部３１に対して吐水する吐水部３３とを備えた便器装置である（図１および図５参照。図１には吐水部３３の吐水口を破線で図示）。このボウル部３１は、その内部に、給水口１２を有した排泄物容器１１が設置される形状となっている。吐水部３３は、ボウル部３１内に設置された排泄物容器１１の給水口１２に装着されるようになっている（図３参照）。
【００２１】
ついで、本ポータブルトイレ１０および本洋風便器装置３０の各構成、ならびに、ポータブルトイレ１０の排泄物容器１１の洗浄方法について、具体的に説明する。
【００２２】
ポータブルトイレ１０は、図２（ａ）（ｂ）に示すように、胴部２１ａ、肘掛部２１ｂ、背もたれ部２１ｃなどよりなる本体２１を備えている。本体２１は、胴部２１ａ内に上部が開口した収容空間を有し、その空間に防汚トレイ２２に収納された状態で排泄物容器１１が収容されるようになっている。また、排泄物容器１１には蓋２６が被せられるようになっている。
【００２３】
本体２１には、開口を塞ぐように、回動自在の便座２３、便蓋２４が連結してある。また、本体２１は脚部２５によって支持されている。なお、図２（ｂ）の分解斜視図では、脚部２５の図示を省略した。
【００２４】
このポータブルトイレ１０は、排泄物容器１１の蓋２６を外し、便蓋２４を起立させ、便座２３を着座位置に回動させた状態で、洋風便器と同様の着座スタイルで用を足すことができるようになっている。
【００２５】
排泄物容器１１内に溜まった排泄物を含む汚水等の排出および排泄物容器１１内の洗浄は、排泄物容器１１を本体２１より取り外して行うことができる。このような汚水等の排出および容器内の洗浄の一連の洗浄作業は、常設の洋風便器装置３０を利用して行うことができる。
【００２６】
この排泄物容器１１は、図６に示すように、上部開口が概ね楕円形状であり、下方に向けてややすぼんだ形状とされる。また、前部は下部が奥方に凹んでおり、２段形状とされる。また、排泄物容器１１の内外面は撥水性を有していることが望ましい。
【００２７】
本ポータブルトイレの排泄物容器１１は、図１（ａ）（ｂ）に示すように、常設の洋風便器装置３０のボウル部３１内に装着できるようになっている。これらの図に示すように、排泄物容器１１はボウル部３１の真上よりリム部３２で囲まれたボウル部３１内に落とし込むようにして装着、設置され得る。図１（ｂ）に示すように、排泄物容器１１は、ボウル部３１へ装着されると、その上部がリム部３２の上端よりも少し突出した状態となる。
【００２８】
この排泄物容器１１の装着は、図５の例に示すように、排泄物容器１１の底部１１ａがボウル部３１の内面に載置され、支持されるような装着でもよいし、排泄物容器１１の周壁１１ｂがリム部３２に嵌合（内嵌）するような装着でもよい。
【００２９】
この排泄物容器１１は、このようにボウル部３１に装着されることで、その状態での洋風便器装置３０の洗浄水を用いた洗浄を行えるようになっている。そのような容器内の洗浄がより簡易にできるように、排泄物容器１１の周壁１１ｂに、洋風便器装置３０の吐水部３３から洗浄水を受けるための給水口１２が形成されている。
【００３０】
なお、排泄物容器１１に給水し内部を洗浄する前に、容器内に溜まった排泄物の大部分を上部開口よりボウル部３１に排出しておくことが望ましい。また、排泄物が溜まったままで排泄物容器１１をボウル部３１に設置し、設置された状態で、後述する排水機構１３を用いて排水するようにしてもよい。
【００３１】
以下に詳述するように、排泄物容器１１の洗浄については、ポータブルトイレ１０（排泄物容器１１）と洋風便器装置３０との協働によりなされる。なお、洋風便器装置３０に関するボウル部３１、リム部３２、吐水部３３等を除く内部基本構成を含むその他の各部については、洋風便器装置３０の水位変動制御、洗浄制御の説明とともに後述する。
【００３２】
図３は、洋風便器装置３０の吐水部３３と、排泄物容器１１の給水口１２との連結構造の説明図である。この洋風便器装置３０は、ボウル部３１内の側面に吐水部３３を有した、オープンリムタイプの便器装置である。
【００３３】
図３（ａ）に示すように、この洋風便器装置３０では、ボウル部３１内面の後部のリム部３２の下方に吐水部３３の開口（吐水口）が設けられている。この吐水部３３は、水道などより洗浄水の供給を受け、開口よりボウル部３１内面に吐水するようになっている。この開口は、リム部３２の下方において洗浄水を旋回させことができるように周回方向の一方向を向いている。その開口からの吐水によって、ボウル部３１内面の上部から下部にいたるまでの全体に洗浄水が行き渡るようになっている。図例のものでは、吐水部３３がボウル部３１の内面の右側（人が着座したときの右側）に設けられている。
【００３４】
一方、排泄物容器１１は、図１および図３に示すように、周壁１１ｂの後方右側に給水口１２が形成されている。この給水口１２は、排泄物容器１１をボウル部３１に装着した際に吐水部３３の開口よりも高い位置に形成されており、排泄物容器１１内の、より高い位置からの洗浄水の供給が可能となっている。吐水部３３と給水口１２は、図３（ｂ）に示したような折曲形状の連結具１７で連結され、吐水部３３からの水勢により洗浄水を連結具１７内を通して上方に向かわせて排泄物容器１１内に供給する構成となっている。
【００３５】
また、吐水部３３と給水口１２との接続構造としては、図４（ａ）（ｂ）のように、より簡単に連結できる構造としてもよい。この排泄物容器１１には、排泄物容器１１をボウル部３１に装着したときにおいて、吐水部３３の開口に対応した高さ位置に、外方に突出した、管状の給水口１２（給水管）が形成されている。排泄物容器１１は、図４（ａ）のように排泄物容器１１をボウル部３１に仮装着した後、白抜き矢印のように水平移動することで、給水口１２を吐水部３３に連結することで接続でき、同時に排泄物容器１１の装着が完了するようになっている。
【００３６】
このように、連結具１７を用いない、簡易に相互連結ができる構造としてもよい。連結具１７を用いる場合、直管であってもよいし、図３に示したような折曲形状のものであってもよい。また、ホースを用いてもよい。
【００３７】
図４に示したように吐水部３３と給水口１２とを同じ高さで連結する場合は、容器内において給水口１２が低くなりすぎないように、排泄物容器１１をボウル部３１に、より深くまで装着できるような装着構造とすることが望ましい。
【００３８】
このように、この排泄物容器１１の洗浄方法は、排泄物容器１１に給水口１２が形成されており、ボウル部３１に設置された排泄物容器１１の給水口１２に、洋風便器装置３０の吐水部３３を接続して排泄物容器１１に洗浄水を供給するようになっている。
【００３９】
図５は、排泄物容器１１を洋風便器装置３０のボウル部３１に装着した状態を模式的に示した概略縦断面図である。この図には、洋風便器装置３０の吐水部３３と排泄物容器１１の給水口１２とがほぼ同じ高さで連結されたものを示した。
【００４０】
図５に示すように、排泄物容器１１は、吐水部３３から洗浄水の供給を給水口１２を通じて受けるようになっている。排泄物容器１１内では、図５の矢印で示すように、供給を受けた洗浄水が上から下へ旋回しながら全体を洗浄する。なお、給水口１２は、吐水部３３によるボウル部３１内の洗浄と同様、内側面に沿って旋回洗浄ができるような位置に形成されていることが望ましいが、これには限定されず、どのような位置に形成されていてもよい。なお、図５における３４は可動式のトラップ部であるが、図５では模式的に示した。
【００４１】
このような排泄物容器１１およびその洗浄方法によれば、排泄物容器１１を洋風便器装置３０のボウル部３１に装着した安定した状態で、洋風便器装置３０から洗浄水の供給を受けて容器内を洗浄することができる。したがって、排泄物容器１１内の洗浄を簡単、迅速に行うことができる。また、排泄物容器１１をボウル部３１に装着した安定した状態で洗浄できるので、洗浄の際などに排泄物容器１１が揺れにくく、容器内の汚水等が外部にこぼれるおそれがなく、そのためトイレ空間を汚すおそれはほとんどない。
【００４２】
また、排泄物容器１１の給水口１２を洋風便器装置３０の吐水部３３に接続する構成のものでは、排泄物容器１１に対して、ボウル部３１の洗浄態様と同様の洗浄を実施することができる。図３や図４の例のように、吐水部３３からの洗浄水の水勢および吐水方向をそのまま生かして洗浄する構成とすれば、ボウル部３１の洗浄と同様の旋回洗浄を行うことができる。
【００４３】
さらに、このような吐水部３３からの洗浄水の供給は、洋風便器装置３０の排水洗浄操作にもとづくものとすればよい。そうすれば、排泄物容器１１の洗浄においても、ボウル部３１の洗浄と同様の操作で行うことができる。
【００４４】
また、図３に示したような折曲形状の連結具１７を用いれば、排泄物容器１１内の高い位置に洗浄水を供給でき、ボウル部３１の洗浄と同様、容器内のほぼ全面を洗浄することができる。また、図４のような簡易な操作で接続できるようにすれば、すばやく装着でき、その結果、迅速な洗浄作業を実施することができる。
【００４５】
なお、排泄物容器１１を上記の方法で洗浄する場合、排泄物容器１１内に溜まった汚水等を、洗浄作業の前に、上部の開口よりボウル部３１に排出し流しておくことが望ましい。また、洗浄水の供給により溜まった洗浄後の汚水等も上部の開口より、ボウル部３１に排出するようにしてもよい。
【００４６】
また、排泄物容器１１は、下部に設けた排水口１３ａを少なくとも含んだ排水機構１３をさらに備えている。具体的には、本実施形態では、排泄物容器１１の底部１１ａなどの下部に開閉自在な排出口１３ａを設けて、排泄物容器１１をボウル部３１に装着した後に、その排出口１３ａを開いて洗浄後の汚水等を排出する構成となっている。
【００４７】
この排水機構１３は、図６（ａ）（ｂ）に示すように、底部１１ａに排水口１３ａを有した湾曲状の排水トラップ機構である。また、排泄物容器１１の底部１１ａには排水口１３ａから下方に延びた排水管１３ｂが形成されている。図６（ｂ）に示すように、排水管１３ｂは、その下端がボウル部３１内の溜め水の喫水面（水位Ｌ）よりも下方に位置するように突出している。こうして、排泄物容器１１は排水管１３ｂ以外の部位がボウル部３１内の貯水に接触しないように設置され得る。
【００４８】
このように、排泄物容器１１が排出口１３ａ付きの排水機構１３を有しているため、洗浄後に容器内に溜まった汚水等を、排泄物容器１１をボウル部３１より取り外すことなく排出することができる。図６に示した排水機構１３は排水トラップ機構で構成されているため、洗浄中に容器内で一定水位を超えた段階で汚水等を排出することができる。そのため、多くの洗浄水を供給しても上部開口から溢れ出るおそれはない。
【００４９】
排水機構１３としては、手動で栓を着脱して排水口１３ａを開閉するものでもよく、電磁弁を用いて電気的な開閉ができるものでもよい。
【００５０】
なお、上述したように、排泄物を事前に流すことなく排泄物容器１１に溜められた状態でボウル部３１に設置し、排泄物自体を排水機構１３を用いて流し出すようにしてもよい。その場合には、排泄物容器１１の下部に大きめの排水口１３ａを設ければよい。
【００５１】
また、排泄物容器１１の排水管１３ｂ以外の部位がボウル部３１内の溜め水に接触しない構成であるため、排泄物容器１１の排水管１３ｂ以外の外面がボウル部３１内の溜め水によって濡れることなく容器内の洗浄を実施することができる。さらに、排水管１３ｂの先端がボウル部３１内の溜め水に浸かっているため、排水の際には水はねを防止でき、排泄物容器１１の底部１１ａや周壁１１ｂの外面に水はねによる水滴が付着することを防止することができる。また、排泄物容器１１の外面に撥水性があれば、たとえ底部１１ａ等が濡れた場合でも外面への水滴の付着を少なくでき、清掃を迅速に行うことができる。
【００５２】
このように、排泄物容器１１を、排水管１３ｂ以外の部位がボウル部３１内の溜め水に接触しないようにすることが望ましい。そのようにするために本洋風便器装置３０は、図９に示すように、通常の貯水水位Ｌ１よりも低い中間水位Ｌ２の状態で貯水され、その状態で排泄物容器１１を設置して洗浄できるようになっている。
【００５３】
この洋風便器装置３０は、排泄物容器１１を設置する場合にボウル部３１への貯水を中間水位Ｌ２とすることなどの特有の動作に対応して、洗浄モードとして、通常モードとは異なる容器洗浄モードを設定することが可能となっている。
【００５４】
図７は、排泄物容器１１の洗浄に関する、洋風便器装置３０の要部基本構成を示すブロック図である。図７に示すように、内部の基本構成として、ＣＰＵ等で構成された制御部４１と、水位変動部４２と、洗浄水供給部４３とを備えている。
【００５５】
制御部４１は、ボウル部３１または排泄物容器１１を洗浄するために、各部を制御する。また、水位変動部４２は、ボウル部内の水位を、貯水水位よりも低い水位に維持させるように変動させる構成部であり、後述するように、トラップ部３４を動作させることで水位変動がなされるようになっている。洗浄水供給部４３は、ボウル部に設置した排泄物容器の内部に洗剤入りの洗浄水を供給する構成部であり、後述するように、洗剤タンク５３、空気取り入れ管５７などを用いて、そのような洗浄水のボウル部３１への供給を行っている。水位変動部４２および洗浄水供給部４３は、制御部４１との協働により作動される。
【００５６】
また、制御部４１は、ボウル部３１内を洗浄する通常洗浄モードと、ボウル部３１に設置した排泄物容器１１の内部を洗浄する容器洗浄モードとを切り替え可能に実行する構成となっている。この洋風便器装置３０は、通常モード、容器洗浄モード間の切り替え操作をするための操作部４４を備えている。
【００５７】
洋風便器装置３０は、図８、図９に示すように、ボウル部３１の排水口３１ａに連結され、貯水位置側と排水位置側との間で自由端を上下に回動自在とした、蛇腹筒状の可動式のトラップ部３４を備えた便器装置である。
【００５８】
洋風便器装置３０には、便器本体内の装置構成として、図８、図９に示すように、吐水部３３に通じる給水管５１と、給水管５１の途中に配した電磁弁５２と、トラップ部３４を動作させる駆動モータ（不図示）とが設けてある。電磁弁５２および駆動モータは制御部４１によって制御される。
【００５９】
また、洋風便器装置３０は、図８、図９に示すように、洗剤タンク５３と、洗剤タンク５３に両端が接続された循環流路５４と、循環流路５４に配設されるポンプ５５と、循環流路５４から分岐して給水管５１に接続された分岐供給流路５６とを備えている。さらに、給水管５１の電磁弁５２の下流側に空気取り入れ管５７が接続されている。このような構成により、空気が混入された洗剤入りの洗浄水が泡洗浄水となってボウル部３１内を洗浄できるようになっている。
【００６０】
以下、容器洗浄モードでの水位変動、洗浄制御について説明する。まず、洋風便器装置３０の水位変動の制御について、図８（ａ）（ｂ）および図９を参照して説明する。
【００６１】
通常モードにおけるボウル部３１の洗浄の場合、制御部４１は、トラップ部３４を、貯水位置側（図８（ａ）参照）と、排水位置側（図８（ｂ）参照）とに回動させ、それぞれの位置で停止させる制御を行う。トラップ部３４が貯水位置側にある場合、ボウル部３１内に封水状態に貯水がなされ、貯水水位Ｌ１となる。また、トラップ部３４が排水位置側にあるときは、ボウル部３１内の貯水が排水されて空になる。
【００６２】
これに対して水位変動部４２は、制御部４１との協働により動作し、駆動モータを作動させて、トラップ部３４の位置を他の位置に変動させるようになっている。この制御により、トラップ部３４を、排泄物容器１１の洗浄するための中間位置側に回動、停止できるようにしている。つまり、水位変動部４２は制御部４１との協働により、ボウル部３１内の水位を、通常モードにおける貯水水位Ｌ１よりも低い位置の中間水位Ｌ２に維持させるように、トラップ部３４を変動制御する。
【００６３】
このような水位変動の制御は、操作部４４で容器洗浄モードへの切り替えがなされたタイミングで実施してもよいし、その後に操作部４４で水位変動指令の操作がなされたタイミングで実施してもよい。あるいは、モードにかかわらず、操作部４４で水位変動指令の操作がなされたタイミングで実施してもよい。
【００６４】
図９に示すように、この状態でボウル部３１に排泄物容器１１を装着すると、溜め水の喫水面が貯水水位Ｌ１よりも低い中間水位Ｌ２に変動しているため、排泄物容器１１の底部１１ａは喫水面には接触しない。そのため、底部１１ａを濡らさないように、排泄物容器１１をボウル部３１に装着することができる。
【００６５】
また、洋風便器装置３０は、排泄物容器１１の着脱を検知するスイッチ４５が設けられており、そのスイッチ４５が排泄物容器１１の着脱を検知できるようになっている。排泄物容器１１の洗浄が終了し、排泄物容器１１がボウル部３１より取り外されると、洋風便器装置３０はスイッチ４５の検知動作により排泄物容器１１の取り外しを検出する。
【００６６】
排泄物容器１１が取り外された後に、容器洗浄モードから通常モードに切り替え操作がなされると、その後の排水洗浄操作にもとづき、ボウル部３１の洗浄を実施することができる。なお、排泄物容器１１の取り外しの検出により、容器洗浄モードから通常モードに自動的に切り替えられるようにしてもよい。
【００６７】
通常モードに切り替えられた後に、排泄物容器１１から排出されボウル部３１に溜まった汚水等を、排水洗浄操作により排水すればよい。具体的には、排水洗浄操作がなされたときには、制御部４１の制御により、トラップ部３４が排水位置側（図８（ｂ）参照）へ回動する排水動作が実行され、その後、トラップ部３４が貯水位置側（図８（ａ）参照）へ回動する貯水動作が実行される。こうして、ボウル部３１には通常の貯水水位Ｌ１の洗浄水が貯水される。
【００６８】
また、排泄物容器１１を装着した状態でボウル部３１の排水洗浄操作がなされたときには、スイッチ４５が排泄物容器１１の取り外しを検知していないため、制御部３１の制御により、ボウル部３１の排水の後、トラップ部３４が中間位置側（図９参照）へ回動する貯水動作が実行される。なお、排泄物容器１１への水はねを回避するために、排泄物容器１１を装着した状態でのボウル部３１の洗浄は禁止するようにしてもよい。
【００６９】
つぎに、洋風便器装置３０の制御による排泄物容器１１の洗浄について説明する。
【００７０】
この洋風便器装置３０は、容器洗浄モードで排泄物容器１１内を洗浄する場合、排泄物容器１１の洗浄に必要な洗浄水の量を考慮して、制御部４１が適切な量の洗浄水を排泄物容器１１に供給するように制御する。
【００７１】
このように、容器洗浄モードでは、そのモードに対応した量の洗浄水を排泄物容器１１内に供給する構成となっているので、洗浄水の排泄物容器１１からの溢れ出しを防止することができる。
【００７２】
このような洗浄を行うために、洋風便器装置３０は、上述したように洗浄水供給部４３を備えている。洗浄水供給部４３は、ボウル部３１に設置した排泄物容器１１の内部に洗浄水を供給する動作を実行する。この動作は、排水洗浄操作がなされた時に、容器洗浄モードが設定され、かつ排泄物容器１１が設置され（スイッチ４５がオンし）ていることを条件として実行される。なお、排泄物容器１１への誤給水を防止するために、給水口１２と吐水部３３とが連結していることを給水の実行条件に付加することが望ましい。たとえば、吐水部３３に連結スイッチ（不図示）を設け、その連結スイッチで給水口１２や連結具１７を装着したときに装着が検出されるようにしてもよい。
【００７３】
洗浄水供給部４３は、制御部４１との協働により上述した、給水管５１、電磁弁５２、洗剤タンク５３、循環流路５４、ポンプ５５、分岐供給流路５６、吐水部３３などを用いて、排泄物容器１１内へ洗剤入りの洗浄水の供給するようになっている。また、空気取り入れ管５７により、洗剤入りの洗浄水に空気を混入させることで、微小気泡が混入された洗剤入りの洗浄水を排泄物容器１１内へ供給できるようになっている。
【００７４】
このように、洗浄水供給部４３は、ボウル部３１に設置した排泄物容器１１の内部に洗剤入りの洗浄水を供給するようになっている。また、洗浄水供給部４３は、排泄物容器１１の内部に気泡を付加した洗浄水を供給する構成ともなっている。
【００７５】
また、洗浄水の洗剤の有無、微小気泡の有無は、それぞれの選択を操作部４４で設定できるようになっている（図７参照）。つまり、洗浄水供給部４３は、容器洗浄モードのときに洗剤なしの洗浄水の供給も可能とし、さらに容器洗浄モードのときに微小気泡なしの洗浄水の供給も可能としている。
【００７６】
このように、排泄物容器１１に洗剤入りの洗浄水を供給することができるので、洗浄効果が高められ、迅速な洗浄作業を実施することができる。また、そのような洗浄水を排泄物容器１１の溜め水としても用いることができる。
【００７７】
洗剤入りの洗浄水を排泄物容器１１の溜め水として用いれば、溜め水の表面に泡の層を形成することができ、その泡の層により表面からの臭気上昇を防止することができる。そのため、ポータブルトイレ１０の使用の際の臭気防止策となり得る。
【００７８】
また、微小気泡が混入された洗浄水を用いて洗浄する場合にも、水道水以上の洗浄効果が得られ、これによっても迅速な洗浄作業を実施することができる。洗剤入り、微小気泡入りの場合には、さらに洗浄能力を高められる。洗剤入り、微小気泡入りの洗浄水を排泄物容器１１の溜め水として用いれば、より多くの泡を形成でき、溜め水の表面に厚みのある泡の層を形成することができる。
【００７９】
このように洗浄水を複数目的に利用するために、使用目的に応じて洗浄水の種別（洗剤の有無、気泡の有無の組み合わせ）の選択設定をすればよい。
【００８０】
上述したように、この洗浄水供給部４３は、上記各部を動作させながら吐水部３３より、給水口１２を通じて排泄物容器１１内に洗浄水を供給するものであり、通常モード下におけるボウル部３１への洗浄水の供給動作と基本的に同じである。
【００８１】
しかしながら、容器洗浄モード下における排泄物容器１１への洗浄水の供給動作は、ボウル部３１への洗浄水の供給動作とは異なり、トラップ部３４を連動させない。つまり、ボウル部３１からの排水動作、ボウル部３１への貯水動作には連動しないようになっている。
【００８２】
以上のように、この洋風便器装置３０は、排泄物容器１１の洗浄を前提とした、ボウル部３１の水位変動や排泄物容器１１の洗浄水の供給が、容器洗浄モード下において実行できるようになっている。
【００８３】
つぎに、他の洋風便器装置３０の水位変動の例について、図１０および図１１を参照して説明する。
【００８４】
この洋風便器装置３０は、サイホンゼット式の便器装置である。つまり、この洋風便器装置３０のボウル部３１の底部には、ゼット孔３１ｃが設けられ、ゼット孔３１ｃに対向するようにトラップ部３４（排水路）が設けてある。
【００８５】
トラップ部３４は、ボウル部３１の底部に連通するトラップ入り口となる端部から斜め上方に延び、トラップ頂部から下方側に向けて屈曲するように形成され、外部排水管（不図示）に接続される。このトラップ部３４とボウル部３１とによって形成された貯水空間に、洗浄水が貯水されるようになっている。
【００８６】
この洋風便器装置３０は、ボウル部３１に連通し、ボウル部３１の溜め水の一部を返水可能に貯水する一時貯水部６１を備えている。洋風便器装置３０は水位変動部４２を備えており、水位変動部４２が制御部４１と協働しながら動作して、一時貯水部６１へ洗浄水を移動させ、喫水面を中間水位Ｌ２に変動するようにしている。
【００８７】
排泄物容器１１の洗浄のための水位変動は、図７〜図９の説明で上述したものと同様、容器洗浄モードへの切り替え、あるいは、その後の操作部４４での水位変動指令の操作などのタイミングで実施する構成とすればよい。
【００８８】
具体的には、上記操作がなされれば、水位変動部４２および制御部４１が動作し、ボウル部３１の貯水の一部を一時貯水部６１に移動させてボウル部３１の水位を貯水水位Ｌ１からその水位より低い中間水位Ｌ２に低下させる。
【００８９】
この一時貯水部６１は、ボウル部３１の溜め水の一部が自重によって流入される構成となっている。一時貯水部６１とボウル部３１とを接続する管路としての接続管路６２に、洗浄制御部４１によって開閉される開閉弁６３が設けてある。
【００９０】
接続管路６２は、ボウル部３１の貯水の一部を一時貯水部６１に流入させ得るように、かつボウル部３１に返水可能なように設けられている。図例では、この接続管路６２のボウル部側開口６２ａを、排水路のトラップ入り口近傍のボウル部３１の底側において開口させた例を示している。
【００９１】
開閉弁６３は、接続管路６２を開放または閉鎖する構成とされる。つまり、この開閉弁６３を閉鎖すれば、ボウル部３１と一時貯水部６１とが水密的に遮断され、開閉弁６２を開放すれば、一時貯水部６１への貯水の一部の流入および一時貯水部６１からボウル部３１への貯水の返水が可能とされている。
【００９２】
本実施形態では、一時貯水部６１に、変動底６４を下方側に変位させて貯水させ、変動底６４を上方側に変位させて返水させる変位機構６５が設けてある。本実施形態では、この変位機構６５として、一時貯水部６１に弾性部材６５ａが設けてある。
【００９３】
弾性部材６５ａは、洗浄水の自重で弾性変形する構成とされている。つまり、ボウル部３１が貯水状態で、容器洗浄モードへの切り替え、あるいは、その後の操作部４４での水位変動指令があれば、水位変動部４２が開閉弁６３を開放し、洗浄水が一時貯水部６１に貯水される。そしてその後、ボウル部３１内の汚水等が排水され、水位が低下すれば、弾性部材６５ａは、変動底６４を上方側に変位させるように弾性復元する。
【００９４】
本洋風便器装置３０は、以上のような構成により、排泄物容器１１の洗浄が可能なように、水位が中間水位に変動し、その水位で維持され、その後の排水洗浄操作による排水動作で貯水水位に復帰できるようになっている。
【００９５】
図１０、図１１に示した洋風便器装置３０は、図示したように、中空のリム部３２に洗浄水を流通させ、リム部３２に設けた複数の孔部（不図示）を通じてボウル部３１に給水するようになっている。
【００９６】
このような洋風便器装置３０では、ボウル部３１に供給する孔部から吐水される洗浄水を排泄物容器１１に供給することはできないが、たとえば給水管（本例では不図示）から分岐した吐水部より洗浄水を排泄物容器１１の給水口１２に供給するようにすればよい。また、水洗タンク（不図示）から他の給水管を通じて排泄物容器１１に給水するようにしてもよい。
【００９７】
また、上記の種々の例では、排泄物容器１１の給水口１２が周壁１１ｂに設けられたものを示したが、水洗タンクなどから給水する構成のものでは、排泄物容器１１の上部開口を給水口として洗浄水を供給するようにしてもよい。
【符号の説明】
【００９８】
１０          ポータブルトイレ
１１          排泄物容器
１１ａ        底部
１１ｂ        周壁
１２          給水口
１３          排水機構
１３ａ        排水口
１３ｂ        排水管
１７          連結具
２１          本体
３０          洋風便器装置
３１          ボウル部
３２          リム部
３３          吐水部
３４          トラップ部
４１          制御部
４２          水位変動部
４３          泡洗浄水供給部
４４          操作部
４５          スイッチ
Ｌ            喫水面の水位
Ｌ１          貯水水位
Ｌ２          中間水位
【図１】
0006604591.tif 000002
【図２】
0006604591.tif 000003
【図３】
0006604591.tif 000004
【図４】
0006604591.tif 000005
【図５】
0006604591.tif 000006
【図６】
0006604591.tif 000007
【図７】
0006604591.tif 000008
【図８】
0006604591.tif 000009
【図９】
0006604591.tif 000010
【図１０】
0006604591.tif 000011
【図１１】
0006604591.tif 000012